(57)【要約】【課題】注入型位相同期回路のロックレンジを広くする。【解決手段】注入型位相同期回路は、参照信号源１と、注入型位相同期回路における出力信号ｆｏの周波数を制御するための制御電圧Ｖｃｔｒｌを、参照信号源１からの参照信号ｆｒｅｆと出力信号ｆｏとを用いて生成する制御電圧生成回路（位相比較回路２１、チャージポンプ２２、フィルタ２３および分周器２４）と、参照信号ｆｒｅｆと出力信号ｆｏとを混合する高調波ミキサ３と、高調波ミキサ３から出力される信号から出力信号ｆｏの周波数のみを通過させるバンドパスフィルタ４と、バンドパスフィルタ４を通過した信号ｆｉｎｊの周波数と制御電圧Ｖｃｔｒｌとにより出力信号ｆｏを生成する注入型同期発振器５とを備える構成である。【選択図】図１
2015100006.tif 000002
【特許請求の範囲】
【請求項１】
注入型位相同期回路において、
参照信号源と、
前記注入型位相同期回路における出力信号の周波数を制御するための制御電圧を前記参照信号源からの参照信号と前記出力信号とを用いて生成する制御電圧生成回路と、
前記参照信号と前記出力信号とを混合する高調波ミキサと、
前記高調波ミキサから出力される信号から前記出力信号の周波数のみを通過させるバンドパスフィルタと、
前記バンドパスフィルタを通過した信号の周波数と前記制御電圧とにより前記出力信号を生成する注入同期発振器と
を備えることを特徴とする注入型位相同期回路。
【請求項２】
前記参照信号源からの参照信号の高調波の電力を増大させるパルス信号源を備え、
前記高調波ミキサは、前記増大後の参照信号と前記出力信号を混合することを特徴とする請求項１記載の注入型位相同期回路。
【請求項３】
前記高調波ミキサと前記バンドパスフィルタは調整機能を有することを特徴とする請求項１記載の注入型位相同期回路。
【請求項４】
前記出力信号のジッタを検出するジッタ検出回路と、
前記ジッタ検出回路からの信号に基づいて前記ジッタが減少するように前記高調波ミキサと前記バンドパスフィルタを調整するコントローラと
を備えることを特徴とする請求項３記載の注入型位相同期回路。
【請求項５】
前記注入型位相同期回路は、
前記出力信号の直交成分を分周する分周器を備え、
前記高調波ミキサは、前記参照信号と前記出力信号の同相成分とを混合するものであり、
前記バンドパスフィルタは、前記参照信号と前記出力信号の同相成分の混合後の信号と、前記参照信号の直交成分と前記出力信号の直交成分の混合後の信号とを加算した後の信号から前記出力信号の周波数のみを通過させるものであり、
前記注入型位相同期回路は、
前記参照信号の直交成分を検出する直交成分検出回路と、
前記参照信号の直交成分と前記出力信号の直交成分とを混合する第２の高調波ミキサと、
前記参照信号と前記出力信号の同相成分とを混合後の信号と前記参照信号の直交成分と前記出力信号の直交成分とを混合後の信号とを加算する加算器と
を備えることを特徴とする請求項１記載の注入型位相同期回路。
【発明の詳細な説明】
【技術分野】
【０００１】
本発明は、注入型位相同期回路に関するものである。
【背景技術】
【０００２】
通信の送受信回路における周波数の制御などに使用される位相同期回路（Phase Locked Loop: PLL）には、リング型やＬＣ型、注入同期型がある。
【０００３】
リング型やＬＣ型では、位相雑音の改善のために消費電力の増加が本質的に避けられなかった。
【０００４】
図１０は、従来例１に係る注入型位相同期回路を示す図であり、図１１は、従来例１における各部の周波数スペクトルを示す図である。
【０００５】
図１０に示すように、注入型位相同期回路では、参照信号源の参照信号ｆｒｅｆからパルス信号源などにより、同じ周波数の信号ｆｉｎｊを生成し、これを注入型同期発振器に与えることにより、信号ｆｉｎｊの周波数（参照信号ｆｒｅｆの周波数）のＮ倍の周波数を有する出力信号ｆｏが得られる。
【０００６】
出力信号ｆｏの位相雑音は、消費電力に関係なく、参照信号源の位相雑音により決まるため、低雑音な参照信号源を使用することで、低消費電力化と低雑音化が可能である。
【０００７】
しかしながら、信号ｆｉｎｊが注入型同期発振器に与えられると、図１１に示すように、注入型同期発振器の内部で信号ｆｉｎｊと出力信号ｆｏが相互変調を起こし、出力信号ｆｏに多くのスプリアスが生じる。
【０００８】
図１２は、従来例１における制御電圧Ｖｃｔｒｌと出力信号ｆｏの周波数との関係を示す図である。
【０００９】
出力信号ｆｏの周波数は、制御電圧Ｖｃｔｒｌにおける所定区間（ロックレンジ）では、信号ｆｉｎｊの周波数のＮ倍にロックされる。しかし、ロックレンジを外れると、（Ｎ＋１）倍や（Ｎ−１）倍に誤ロックされる可能性がある。
【００１０】
注入型同期発振器は、内蔵するフィルタで高い周波数の高調波を除去できるが、低い周波数の高調波は除去できない。よって、この低い周波数の高調波に起因するスプリアスが生じ（図１１）、ジッタが増大する。
【００１１】
図１３は、従来例２に係る注入型位相同期回路を示す図であり、図１４は、従来例２における各部の周波数スペクトルを示す図である。
【００１２】
例えば、図１３に示すようにハイパスフィルタを設けることにより、図１４に示すように、信号ｆｉｎｊにおける低い周波数の高調波が低減し、スプリアスも低減する。
【００１３】
しかし、上記のような誤ロックを避けなければならないので、カットオフ周波数を十分に高くできない。
【００１４】
図１５は、従来例２における制御電圧Ｖｃｔｒｌと出力信号ｆｏの周波数との関係を示す図である。
【００１５】
図１５に示すように、ロックレンジは、従来例１に比べ、狭くなる。また、出力信号ｆｏの位相を厳密に制御すべく、信号ｆｉｎｊと帰還のゲインを高くすると、出力信号ｆｏの安定性は低下する。
【先行技術文献】
【非特許文献】
【００１６】
【非特許文献１】Jri Lee, "Study of Subharmonically Injection-Locked PLLs", IEEE JOURNAL OF SOLID-STATE CIRCUITS, VOL. 44, NO. 5, pp. 1539-1553, MAY 2009
【非特許文献２】李 尚曄 他，“注入同期を用いた低位相雑音リングＶＣＯ型ＰＬＬ”，2010年電子情報通信学会エレクトロニクスソサイエティ大会，C-12-36，2010年9月
【非特許文献３】Sang_yeop Lee et al., "A Multi-Band Quadrature Clock Generator WithHigh-Pass-Filtered Pulse Injection Technique", IEEE MICROWAVE AND WIRELESS COMPONENTS LETTERS, VOL. 23, NO. 2, pp. 96-98, FEBRUARY 2013
【発明の概要】
【発明が解決しようとする課題】
【００１７】
本発明は、上記の課題に鑑みてなされたものであり、その目的とするところは、ロックレンジを広くできる注入型位相同期回路を提供することにある。
【課題を解決するための手段】
【００１８】
上記の課題を解決するために、本発明は、注入型位相同期回路において、参照信号源と、前記注入型位相同期回路における出力信号の周波数を制御するための制御電圧を前記参照信号源からの参照信号と前記出力信号とを用いて生成する制御電圧生成回路と、前記参照信号と前記出力信号とを混合する高調波ミキサと、前記高調波ミキサから出力される信号から前記出力信号の周波数のみを通過させるバンドパスフィルタと、前記バンドパスフィルタを通過した信号の周波数と前記制御電圧とにより前記出力信号を生成する注入同期発振器とを備えることを特徴とする。
【発明の効果】
【００１９】
本発明によれば、注入型位相同期回路のロックレンジを広くすることができる。
【図面の簡単な説明】
【００２０】
【図１】第１の実施の形態に係る注入型位相同期回路を示す図である。
【図２】図１における各部の周波数スペクトルを示す図である。
【図３】第１の実施の形態における制御電圧Ｖｃｔｒｌと出力信号ｆｏの周波数との関係を示す図である。
【図４】第２の実施の形態に係る注入型位相同期回路を示す図である。
【図５】第３の実施の形態に係る注入型位相同期回路を示す図である。
【図６】第４の実施の形態に係る注入型位相同期回路を示す図である。
【図７】第５の実施の形態に係る注入型位相同期回路を示す図である。
【図８】第６の実施の形態に係る注入型位相同期回路を示す図である。
【図９】各実施の形態に係る注入型位相同期回路と従来の注入型位相同期回路についての特性毎の優劣を示す図である。
【図１０】従来例１に係る注入型位相同期回路を示す図である。
【図１１】従来例１における各部の周波数スペクトルを示す図である。
【図１２】従来例１における制御電圧Ｖｃｔｒｌと出力信号ｆｏの周波数との関係を示す図である。
【図１３】従来例２に係る注入型位相同期回路を示す図である。
【図１４】従来例２における各部の周波数スペクトルを示す図である。
【図１５】従来例２における制御電圧Ｖｃｔｒｌと出力信号ｆｏの周波数との関係を示す図である。
【発明を実施するための形態】
【００２１】
以下、本発明の実施の形態について図面を参照して説明する。本実施の形態の説明において同一または類似の構成要素には同一の符号を付与し、重複説明を省略する。
【００２２】
図１は、第１の実施の形態に係る注入型位相同期回路を示す図である。
【００２３】
注入型位相同期回路は、参照信号源１と、注入型位相同期回路における出力信号ｆｏの周波数を制御するための制御電圧Ｖｃｔｒｌを、参照信号源１からの参照信号ｆｒｅｆと出力信号ｆｏとを用いて生成する制御電圧生成回路（位相比較回路２１、チャージポンプ２２、フィルタ２３および分周器２４）と、参照信号ｆｒｅｆと出力信号ｆｏとを混合する高調波ミキサ３と、高調波ミキサ３から出力される信号から出力信号ｆｏの周波数のみを通過させるバンドパスフィルタ４と、バンドパスフィルタ４を通過した信号ｆｉｎｊの周波数と制御電圧Ｖｃｔｒｌとにより出力信号ｆｏを生成する注入型同期発振器５とを備える構成である。
【００２４】
注入型位相同期回路は、いわゆるチャージポンプＰＬＬ帰還と、注入同期信号発生帰還の２系統の帰還で構成される。
【００２５】
チャージポンプＰＬＬ帰還は、参照信号源１、出力信号ｆｏを分周比Ｎで分周する分周器２４、分周器２４の出力と参照信号ｆｒｅｆを比較する位相比較回路２１、位相比較回路２１の出力を電流信号に変換するチャージポンプ２２、ならびに電流信号の直流成分を通過させ電圧信号に変換して注入型同期発振器５に出力するフィルタ２３で構成される。チャージポンプＰＬＬ帰還により、出力信号ｆｏの周波数は参照信号ｆｒｅｆの周波数のＮ（分周比）倍になるように制御される。
【００２６】
注入同期信号発生帰還は、出力信号ｆｏと参照信号ｆｒｅｆを混合する高調波ミキサ３、高調波ミキサ３から出力される信号から出力信号ｆｏの周波数のみを通過させるバンドパスフィルタ４で構成される。
【００２７】
図２は、図１における各部の周波数スペクトルを示す図である。
【００２８】
参照信号ｆｒｅｆと出力信号ｆｏは、回路の非線形性に起因する高調波を有する。高調波を有する信号を信号ｆｉｎｊとして使用すると、出力信号ｆｏにも高調波が発生する。したがって、バンドパスフィルタ４により出力信号ｆｏの周波数以外の高調波が低減する。これにより出力信号ｆｏにおけるジッタを低減できる。
【００２９】
図３は、制御電圧Ｖｃｔｒｌと出力信号ｆｏの周波数との関係を示す図である。
【００３０】
前述のように、信号ｆｉｎｊの周波数は出力信号ｆｏの周波数と同じである。従来例では、信号ｆｉｎｊの周波数のＮ倍が出力信号ｆｏの周波数であるから、信号ｆｉｎｊの周波数は従来例に比べて高い。ロックレンジ（出力信号ｆｏの周波数を参照信号ｆｒｅｆの周波数のＮ倍に固定できる制御電圧Ｖｃｔｒｌの範囲）は、信号ｆｉｎｊの周波数に応じて広くなるので、ロックレンジを広くできる。よって、制御電圧Ｖｃｔｒｌが多少ずれても出力信号ｆｏの周波数を参照信号ｆｒｅｆの周波数のＮ倍に固定できる。すなわち、誤ロックの防止を図れる。また、出力信号ｆｏの周波数は、短時間で信号ｆｉｎｊの周波数となるので、電源が入ってから出力信号ｆｏの周波数が信号ｆｉｎｊの周波数となるまでの時間、すなわち、ＰＬＬセトリング時間を短縮できる。
【００３１】
図４は、第２の実施の形態に係る注入型位相同期回路を示す図である。
【００３２】
第１の実施の形態では、制御電圧生成回路として、位相比較回路２１、チャージポンプ２２、フィルタ２３および分周器２４を使用したが、Phase Locked Loop(PLL)やFrequency Locked Loop (FLL)やDelay Locked Loop (DLL)といった他の構成を使用してもよい。また、後述の実施の形態でもこのような構成としてよい。
【００３３】
図５は、第３の実施の形態に係る注入型位相同期回路を示す図である。
【００３４】
注入型位相同期回路は、第１の実施の形態との比較において、参照信号ｆｒｅｆの高調波の電力を増大させるパルス信号源６を備え、高調波ミキサ３は、増大後の参照信号ｆｒｅｆ’と出力信号ｆｏを混合することを特徴とする。
【００３５】
これにより、高調波ミキサ３からの信号において出力信号ｆｏの周波数の強度が大きくなり、より安定した位相同期が可能となる。
【００３６】
なお、パルス信号源６から出力される参照信号ｆｒｅｆ’のパルス幅を狭くするほど、参照信号ｆｒｅｆ’における高調波の電力が大きくなり、信号ｆｉｎｊの強度が大きくなる。
【００３７】
特に、出力信号ｆｏの周波数と参照信号ｆｒｅｆの周波数の比（ｆｏ/fｒｅｆ）が大きいほどこれは顕著になる。
【００３８】
図６は、第４の実施の形態に係る注入型位相同期回路を示す図である。
【００３９】
注入型位相同期回路は、第１の実施の形態との比較において、高調波ミキサ３とバンドパスフィルタ４は調整機能を有することを特徴とする。
【００４０】
高調波ミキサ３とバンドパスフィルタ４は、出力信号ｆｏの周波数（参照信号ｆｒｅｆの周波数のＮ倍）がバンドパスフィルタ４を確実に通過するように調整される。これは、信号ｆｉｎｊ（参照信号ｆｒｅｆの周波数のＮ倍の周波数を有する）の電力が、安定した同期を得るには不十分な場合に有効である。
【００４１】
図７は、第５の実施の形態に係る注入型位相同期回路を示す図である。
【００４２】
注入型位相同期回路は、第４の実施の形態との比較において、出力信号ｆｏのジッタを検出するジッタ検出回路７と、ジッタ検出回路７からの信号に基づいて、ジッタが減少するように高調波ミキサ３とバンドパスフィルタ４を調整するコントローラ８とを備えることを特徴とする。この注入型位相同期回路では、例えば、ジッタが最小になるような周波数を信号ｆｉｎｊが有するように高調波ミキサ３とバンドパスフィルタ４が自動的に調整される。
【００４３】
図８は、第５の実施の形態に係る注入型位相同期回路を示す図である。
【００４４】
注入型位相同期回路は、第１の実施の形態との比較において、分周器２４は、出力信号ｆｏの直交成分Ｑを分周するものであり、高調波ミキサ３は、参照信号ｆｒｅｆと出力信号ｆｏの同相成分Ｉとを混合するものであり、バンドパスフィルタ４は、参照信号ｆｒｅｆと同相成分Ｉの混合後の信号ＭＩと、参照信号ｆｒｅｆの直交成分ｆｒｅｆ−Ｑと直交成分Ｑの混合後の信号ＭＱとを加算した後の信号Ｍから出力信号ｆｏの周波数のみを通過させるものである。
【００４５】
また、注入同期発振器は、直交成分ｆｒｅｆ−Ｑを検出する直交成分検出回路９と、直交成分ｆｒｅｆ−Ｑと直交成分Ｑとを混合する高調波ミキサ１０と、参照信号ｆｒｅｆと同相成分Ｉの混合後の信号ＭＩと、直交成分ｆｒｅｆ−Ｑと直交成分Ｑの混合後の信号とを加算する加算器１１とを備える。
【００４６】
この注入型位相同期回路によれば、第１の実施の形態に比べ、バンドパスフィルタ４への信号（信号Ｍ）における高調波が低減するので、出力信号ｆｏの強度が増し、同期が安定する。
【００４７】
図９は、各実施の形態に係る注入型位相同期回路と従来例の注入型位相同期回路についての特性毎の優劣を示す図である。
【００４８】
従来例１では、ジッタ、スプリアス、ロックレンジ、誤ロックのいずれについても悪く、従来例２では、スプリアスについて若干改善される。
【００４９】
第１の実施の形態、第２の実施の形態では、スプリアス、ロックレンジ、誤ロックについては良い特性が得られ、ジッタについても従来例より改善される。
【００５０】
第３の実施の形態では、ロックレンジ、誤ロックについて良い特性が得られ、ジッタについても従来例より改善され、スプリアスについては従来例１より改善される。
【００５１】
第４の実施の形態では、ジッタ、スプリアス、ロックレンジ、誤ロックについて良い特性が得られる。
【００５２】
第５の実施の形態では、スプリアス、ロックレンジ、誤ロックについては良い特性が得られ、ジッタについてはさらに良い特性が得られる。
【００５３】
第６の実施の形態では、ジッタ、ロックレンジ、誤ロックについては良い特性が得られ、スプリアスについてはさらに良い特性が得られる。
【符号の説明】
【００５４】
１…参照信号源
３…高調波ミキサ
４…バンドパスフィルタ
５…注入型同期発振器
６…パルス信号源
７…ジッタ検出回路
８…コントローラ
９…直交成分検出回路
１０…高調波ミキサ
１１…加算器
２１…位相比較回路
２２…チャージポンプ
２３…フィルタ
２４…分周器
【図１】
2015100006.tif 000003
【図２】
2015100006.tif 000004
【図３】
2015100006.tif 000005
【図４】
2015100006.tif 000006
【図５】
2015100006.tif 000007
【図６】
2015100006.tif 000008
【図７】
2015100006.tif 000009
【図８】
2015100006.tif 000010
【図９】
2015100006.tif 000011
【図１０】
2015100006.tif 000012
【図１２】
2015100006.tif 000013
【図１３】
2015100006.tif 000014
【図１４】
2015100006.tif 000015
【図１５】
2015100006.tif 000016
【図１１】
2015100006.tif 000017